(57)【特許請求の範囲】
【請求項１】
保持具本体にシャワー散水具の導管部を受入れる保持部が形成され、この保持具本体の静止壁側に凹部が形成され、弾性部材の片側が凹部内に結合されるとともに他側が静止壁に結合され、凹部を形成することによって保持具本体にスカート部が形成され、スカート部の内面と弾性部材の間に、保持具本体が傾斜したときにスカート部の内面が弾性部材の外面に干渉することのない大きさの空隙が設けられていることを特徴とするシャワー用保持具。
【発明の詳細な説明】
【０００１】
【発明が属する技術分野】
シャワー用保持具の保持具本体が静止壁に固定され、この保持具本体に保持部を形成し、ここにシャワー散水具の導管部を差込むものが一般的に使用されている。この発明は、このような技術分野に属している。
【０００２】
【従来の技術】
図４、図５にしたがって従来の技術を説明する。シャワー用の保持具が図示されている。保持具本体１は浴室等の内壁、すなわち静止壁２にしっかりと固定してある。シャワー散水具３は二点鎖線で図示してあり、多数の小孔が開けられた散水ヘッド４とそれに連なる導管部５からなり、この導管部５にホース６が接続してある。導管部５の下部に下方が小径となるテーパ型の挿入部７が形成してある。導管部５は、取っ手の機能をも果たし、少なくとも挿入部７は円形断面とされている。また、この導管部５が棒状の部材に相当している。
【０００３】
挿入部７を受入れる保持部８が、保持具本体１の端部に上下方向に形成してある。保持部８は、挿入部７のテーパ形状にぴったりと合致するように形成され、ホース６が通過する開口部９が設置してある。保持部８は円形の孔かあるいは円弧型である。開口部９は図２のものと同様であり、これからから容易に理解できる。壁材１０に雌ねじ部材１１がしっかりと埋設してあり、保持具本体１に貫通させたボルト１２、１２が雌ねじ部材１１にねじ込まれて、保持具本体１が静止壁２に固定されている。ボルト１２の頭部１３、１３が保持部８内に突出することを防止するために、凹部１４、１４が形成してある。
【０００４】
【発明が解決しようとする問題点】
図４や図５のようなものであると、シャワー散水具３を保持部８から抜取るときには、真っ直ぐ上に引き上げないと滑らかに抜取れない。もし、抜取る方向が斜め方向であると、挿入部７が保持部８内でこぜたような状態になって、滑らかに引き出すことができず、扱いにくいこととなる。さらに、このような斜め方向の抜取りであると、保持具本体１に無理な力が作用して、雌ねじ部材１１が壁材１０から外れたり、壁材１０にひびが入ったりすることがある。
【０００５】
【問題を解決するための手段とその作用】
この発明は、上述の問題点を解決するために発案されたもので、請求項１の発明は、保持具本体にシャワー散水具の導管部を受入れる保持部が形成され、この保持具本体の静止壁側に凹部が形成され、弾性部材の片側が凹部内に結合されるとともに他側が静止壁に結合され、凹部を形成することによって保持具本体にスカート部が形成され、スカート部の内面と弾性部材の間に、保持具本体が傾斜したときにスカート部の内面が弾性部材の外面に干渉することのない大きさの空隙が設けられていることを特徴とすシャワー用保持具である。
【０００６】
保持具本体は静止壁に弾性部材を介して取付けてあるので、保持具本体に異常な向きの力が作用しても保持具本体は弾性部材の弾性変形によって、異常な向きの力に応じた変向がなされる。したがって、シャワー散水具の導管部を保持部から滑らかに抜取ることができる。一方、シャワー散水具の導管部を保持部に差込むときにも、多少の傾いたまま保持部に挿入しても、弾性部材の変位によって保持部がシャワー散水具の導管部の傾きに順応して滑らかな挿入が可能となる。
【０００７】
このように弾性部材の変形によって、雌ねじ部材に過大な力が作用しないので、壁材に破損が発生したりしない。さらに、うっかりしてシャワー散水具の導管部に人体が当たっても、シャワー散水具の導管部が弾性部材によって変位してくれるので、怪我をするようなことが回避できる。同時に、壁材の破損も防止できる。
【０００８】
保持具本体にシャワー散水具の導管部を受入れる保持部が形成され、この保持具本体が弾性部材を介して静止壁に取付けてある。
【０００９】
したがって、上記のような作用効果が得られる。浴室の内壁に前述のようにして破損部が生じると、そこから水が入って壁材を腐食させたりするのであるが、本発明は、弾性部材の作用によって壁材の破損が防止できるので、このような心配がない。
【００１０】
保持具本体の静止壁側に凹部が形成され、この凹部内に弾性部材の片側が結合してある。
【００１１】
このような凹部を設置することによって、弾性部材の長さを大きくとることが可能となる。すなわち、凹部を設置することによって、弾性部材の片側の取付け位置と静止壁との間隔が大きく確保できるために、弾性部材を長くすることができる。さらに、弾性部材の周囲と凹部の内壁との空隙を大きく設定しておくことによって、保持具本体の左右上下方向の傾斜角を大きく設定でき、シャワー散水具の出し入れが行いやすくなる。また、前記凹部は、いわゆるスカートのような形態で弾性部材を覆い隠す役目を果たしているので、外観を向上させるのに有効である。
【００１２】
【発明の実施の形態】
以下、図１と図２の実施形態について説明する。図４、図５で説明した部材と同じ機能を果たす部材には、図中に同じ符号を記載して詳細な説明は省略してある。保持具本体１の静止壁２の側、すなわち保持部８とは反対側に凹部１５が形成してある。保持具本体１は図１と図２から断面が矩形であることが理解できる。したがって、凹部１５も四角い窪みである。また、凹部１５を設置することによって、スカート部１６が形成されている。
【００１３】
ここでの弾性部材１７はゴム製のもので、断面円形のゴム本体１８の両端に鋼板製の端板１９、１９が加硫接着で一体化されている。端板１９、１９にはそれぞれ鋼板製の固定板２０、２０が固定されている。この固定は、接着でもよくあるいは図示していないがボルト付けであってもよい。一方の固定板２０を凹部１５の内面に密着させ、凹部１４、１４からねじ込んだボルト２１、２１を固定板２０にねじ込み、弾性部材１７と保持具本体１との一体化が図られる。他方の固定板２０にもボルト２２を貫通させて雌ねじ部材１１にしっかりとねじ込む。こうすることによって、保持具本体１が静止壁２に固定される。
【００１４】
スカート部１６の内面と弾性部材１７の外面との間に、空隙２３を大きく取ってある。
【００１５】
以上の構成によって、シャワー散水具３の導管部５やシャワー散水具３が保持部８に対して同軸ではなく、多少傾いた状態で挿入されても、弾性部材１７の変形機能によって保持具本体１がシャワー散水具３の導管部５等の傾斜に順応する。したがって、円滑な挿入がなされる。また、シャワー散水具３の導管部５等を抜き取るときに上述のような傾斜があっても、同様にして円滑な抜取りが実現する。
【００１６】
また、弾性部材１７の変形によって、雌ねじ部材１１に無理な力が作用しないので、壁材１０に破損が発生したりしない。スカート部１６が弾性部材１７を覆うようにしているので、弾性部材１７を覆い隠し外観を良好にしている。さらに、空隙２３を大きく取ってあるので、保持具本体１が傾斜したときにスカート部１６の内面が弾性部材１７の外面に干渉することがなく、保持具本体１の変位を大きく確保している。
【００１７】
以上の実施形態では弾性部材１７をゴム製のものとしたが、それ以外の方法として図３のようなコイルスプリングの形式のものもある。これはコイルスプリング２４の両端を端板１９ａ、１９ａで保持したもので、端板はコイルスプリング２４の線材を巻き込んだ形状にしてある。同図において固定板２０、２０は先のものと同じである。コイルスプリング型の弾性部材であっても、その作用効果は先のものと同じである。
【００１８】
【発明の効果】
請求項１の発明は、保持具本体にシャワー散水具の導管部を受入れる保持部が形成され、この保持具本体の静止壁側に凹部が形成され、弾性部材の片側が凹部内に結合されるとともに他側が静止壁に結合され、凹部を形成することによって保持具本体にスカート部が形成され、スカート部の内面と弾性部材の間に、保持具本体が傾斜したときにスカート部の内面が弾性部材の外面に干渉することのない大きさの空隙が設けられていることを特徴とするシャワー用保持具である。
【００１９】
保持具本体は静止壁に弾性部材を介して取付けてあるので、保持具本体に異常な向きの力が作用しても保持具本体は弾性部材の弾性変形によって、異常な向きの力に応じた変向がなされる。したがって、シャワー散水具の導管部は保持部から滑らかに抜取ることができる。一方、シャワー散水具の導管部を保持部に差込むときにも、多少の傾いたまま保持部に挿入しても、弾性部材の変位によって保持部がシャワー散水具の導管部に順応して滑らかな挿入が可能となる。
【００２０】
このように弾性部材の変形によって、雌ねじ部材に過大な力が作用しないので、壁材に破損が発生したりしない。さらに、うっかりしてシャワー散水具の導管部に人体が当たっても、シャワー散水具の導管部が弾性部材によって変位してくれるので、怪我をするようなことが回避できる。同時に、壁材の破損も防止できる。
【００２１】
保持具本体にシャワー散水具の導管部を受入れる保持部が形成され、この保持具本体が弾性部材を介して静止壁に取付けてある。
【００２２】
したがって、上記のような作用効果が得られる。浴室の内壁に前述のようにして破損部が生じると、そこから水が入って壁材を腐食させたりするのであるが、本発明は、弾性部材の作用によって壁材の破損が防止できるので、このような心配がない。
【００２３】
保持具本体の静止壁側に凹部が形成され、この凹部内に弾性部材の片側が結合してある。
【００２４】
このような凹部を設置することによって、弾性部材の長さを大きくとることが可能となる。すなわち、凹部を設置することによって、弾性部材の片側の取付け位置と静止壁との間隔が大きく確保できるために、弾性部材を長くすることができる。さらに、弾性部材の周囲と凹部の内壁との空隙を大きく設定しておくことによって、保持具本体の左右上下方向の傾斜角を大きく設定でき、シャワー散水具の出し入れが行いやすくなる。また、前記凹部は、いわゆるスカートのような形態で弾性部材を覆い隠す役目を果たしているので、外観を向上させるのに有効である。上述のように長い弾性部材と大きな空隙との組合わせによって、保持具本体の変位量を大きく確保することができると共に、弾性部材のばね定数を任意の値に決めるのに好都合である。
【図面の簡単な説明】
【図１】  本願発明の実施形態を示す縦断側面図である。
【図２】  図１のものの平面図である。
【図３】  弾性部材の変形例を示す部分的な側面図である。
【図４】  従来技術の側面図である。
【図５】  図４のものの縦断側面図である。
【符号の説明】
５          棒状の部材
８          保持部
１          保持具本体
１７、２４  弾性部材
２          静止壁
３          シャワー散水具
５          導管部
１５        凹部
１６        スカート部
２３        空隙
【図１】
0003706876.tif 000002
【図２】
0003706876.tif 000003
【図３】
0003706876.tif 000004
【図４】
0003706876.tif 000005
【図５】
0003706876.tif 000006